(57)【要約】      （修正有）【課題】  図書館や書店等において,参考図書を判断する為の図書内容表示方法および装置を提供する。【解決手段】  図書１１に非接触無線送受信ラベル（ＲＦＩＤラベル）を付し，書棚１２ａ〜１２ｎに収納する。検索者１７は、その書棚から該当図書１１を抜き出す。あるいは携帯端末に対し、希望する図書を特定するためのキーワードを入力し、携帯端末は該当する図書のリストを表示すると共に、その図書に対する信号を発信し、各図書１１のＲＦＩＤラベルからの応答を受信することにより、その受信内容に応じて書棚より図書１１を抜き出す。書棚に設置された図書内容表示端末１５もしくは携帯端末は、該当図書１１が発信するＲＦＩＤラベルを読み取ることで該当図書１１を識別し、該当図書１１の内容をネットワーク１４を通じて記録装置１３より呼び出し、その表示部分に表示する。検索者１７はその表示内容を見て、参考図書か否かを判断する。【選択図】  図１
2005165997.tif 000002
【特許請求の範囲】
【請求項１】
図書館や書店等大量の書類を保有する施設において、書棚に所蔵する多数の図書から借り出し、閲覧又は購入を希望する検索者が、自らが希望する図書を探し出す方法において、前記各図書に固有の整理番号等の情報を含む無線読み出し可能な記録媒体を予め付加し、前記記録媒体からの発信を受信してその図書の所在を把握すると同時に、受信した情報に含まれるその図書固有の整理番号などの情報に基づいて該当図書の梗概等の内容を呼び出して表示端末に表示させることを特徴とし、それを閲覧することで前記検索者がその図書が希望する図書かどうかの判断を行う方法。
【請求項２】
図書館や書店等大量の書籍を保有する施設において、書棚に所蔵する多数の図書から借り出し、閲覧又は購入を希望する検索者が、自らが希望する図書を探し出す方法において、携帯検索端末に予め希望する図書名あるいはその一覧を表示させ、その図書に対し前記携帯端末より目的とする図書が存在とする場所付近において電波を発信し、それに対する前記記録媒体からの応答を受信することで図書が所在するかどうかを検索することを特徴とする請求項１に記載の図書検索方法。
【発明の詳細な説明】
【技術分野】
【０００１】  本発明は図書検索方法および装置に関し、特に図書館や書店等が所蔵する大量の図書の中から目的とする図書を検索する図書検索方法および装置に関する。
【背景技術】
【０００２】  元来図書のタイトルというものは、その内容を端的に示すものであるが、実際にはタイトルだけでその図書の内容を判断することは難しく、その図書が自らの要求を満たすものであるかどうかを判断するためには、図書を手にとってその内容を自ら確認するという必要が発生している。しかもその際には、図書の内容梗概そのものが図書に記載されているわけではないため、図書の内容をある程度詳細に読み込むか、目次等から内容を推測して判断しなくてはならない。
一般的に、図書の内容を判断するための支援システムとしては、図書の梗概などを記録装置に予め入力しておき、キーワードや著者名などで図書の検索を行った際、検索結果としてリストアップされた図書のタイトル名に対応した前記記録装置に記録されている内容梗概をあわせて表示するというようなシステムがある。ただしこのシステムが有効に機能するのは、あらかじめどんな図書を探そうかという目的が明確になっている場合である。
あるいは、各図書に固有の情報であるバーコードを付加し、このバーコードを備え付けのバーコードリーダーにより読み取ることによりその図書を識別し、それに基づいてその図書の梗概を呼び出し、それを表示させるようなシステムがある。したがって、その図書を特定して手元に取った後は、その図書が目的とする図書であるかどうか判断することを支援することができる。
さらに、図書館や書店等においては極めて多数の図書が書棚等に収容されている。しかも、それぞれの施設が一定のルールに基づいて図書を書棚に収容しても、一般の利用者が随意にその書棚から図書を出し入れするため、そのルールに基づかない状態で書棚に収容されることもある。したがって、目的とする図書のタイトルがわかっていても、その所在を探し出すことが難しいというような事態になってしまうことがある。
一般的に図書の所在を管理するシステムとしては、例えば図書固有情報を内部に格納したタグ（電波受信アンテナを設けた無線タグ）を各図書に装着し、その図書との間で非接触の状態でデータのリード／ライトを行う装置を図書館や書店における適切なポイントに設置することで、図書が所定の範囲内に格納されるように管理するシステムがある。しかしこのシステムは、主として館外貸出しや購入等の正式な処理を行っていない状態での持ち出し等を防ぐことを目的とした方法である。したがって、図書がどのエリアにあるかまでは特定することを実現可能である。
【発明の開示】
【発明が解決しようとする課題】
【０００３】  しかし、たとえばキーワードなどに基づく検索システムは、著者名やキーワードなど図書を特定するための方法が明確になっている場合にのみ機能するシステムである。したがって、特定の分野において自らの参考になりそうな図書をピックアップしようとするような場合や、タイトルに興味を引かれてその図書がどんな内容なのかを見てみたい、というような場合など、図書を特定する方法が特定されていないような場合は十分に機能しない。
さらに、バーコードリーダーを活用するシステムは、目的とする図書を特定した後は機能するが、その図書の所在を確認し、それを手元に取るまでの過程では有効に機能しない。
これに対し、非接触の状態でタグと装置の間でリード／ライトを行うシステムでは、図書がどのエリアにあるかを特定することは機能するが、それだけでは図書の内容を判断し、目的とする図書を特定することはできない。
本発明は、従来技術の上述した課題に鑑みなされたものであり、図書館や書店等の多数の蔵書から検索者が閲覧、貸し出し又は購入を希望する図書を検索する過程において、その検索までの過程を自由な方法で行うことを可能にしつつ、ある図書を特定した後その図書の内容の表示を参考にすることで、目的とする図書の最終的な特定を可能にする方法および装置を提供することを目的とする。
【課題を解決するための手段】
【０００４】  本発明の図書検索方法は、書棚に所蔵する多数の図書から借り出し、閲覧又は購入を希望する検索者が、自らが希望する図書を探し出す方法であって、各図書には固有の整理番号等の情報を含む無線読み出し可能な記録媒体を予め付加し、図書ごとに固有の整理番号とその内容梗概等図書の内容判断を支援するための情報を記録装置に蓄積し、書棚付近には前記記録媒体との間及び前記記録装置との間でデータの送受信を行う図書内容表示装置を設置し、あるいは検索者自身が携帯可能な前記図書内容表示装置を保持し、検索者が選択した図書を図書内容表示装置に近づけることで、その図書からの発信を図書内容表示装置が受信し、そこに含まれる図書固有の識別情報に基づいて記録装置から該当図書内容梗概等を読み出し、表示させることを特徴とする。
また、本発明の図書検索方法は、書棚に所蔵する多数の図書から借り出し、閲覧又は購入を希望する検索者が、自らが希望する図書を探し出す方法であって、検索者が保持する携帯端末において予めリストアップした目的とする図書の候補の図書に対し、その携帯端末から電波を発信させ、その候補とする図書からの応答を携帯端末によって受信することでその図書が付近にあるかどうかを識別することで特定の図書を選択する。あるいは書棚から直接特定の図書を選択するなどの適宜な方法により特定の図書を選択することを特徴とする。
【発明を実施するための最良の形態】
【０００５】  以下、本発明による図書検索方法および装置の好適実施形態の構成および動作を、添付図面を参照して詳細に説明する。
まず、図１は、本発明による図書検索装置の好適実施形態の構成図である。この図書検索装置１０は、多数の小型非接触無線送受信ラベル（以下、ＲＦＩＤラベルという）付き図書１１、その図書１１を格納する複数の書棚１２ａ〜１２ｎ、各図書１１の内要梗概等の情報を保持する記録装置１３、施設内において各種装置間を接続する有線及び無線のネットワーク１４、そのネットワーク１４を通じて記録装置１３と接続されており書棚１２付近に設置されている図書内容表示装置１５により構成される。
ここで、ＲＦＩＤラベルは、超小型のアンテナ及びＩＣ（半導体集積回路）チップを薄いラベル上の物体に実装したものである。このＲＦＩＤラベルは、電池を必要とせず、数ｍ離れた場所から電波（マイクロ波無線）を使用して同時に何枚ものＲＦＩＤラベルに対し読み出しおよび書き込みが可能である。このＲＦＩＤラベルは、図書館の各蔵書の一部、例えば背表紙に適当な接着剤等を使用して貼付する。
そして、検索者１７は、この図書内容表示装置１５を使用して、検索図書を書棚１２ａ〜１２ｎから迅速に検索（探し出す）すると共に書棚１２ａ〜１２ｎに収納されている図書を常時確認して管理することが可能である。尚、記録装置１２には、図書梗概等の内容を入力するための装置を含んでいる。
次に、図１に示す図書検索装置１０の各構成要素の主要機能を説明する。各ＲＦＩＤラベル付き図書１１は、図書館あるいは書店が所蔵する図書そのものであり、固有の識別番号等を記録したＲＦＩＤラベルが各図書の背表紙等に貼付された図書である。書棚１２ａ〜１２ｎは、蔵書を収納する棚であり、検索者又は利用者がその近辺に行きＲＦＩＤラベル付き図書１１の検索を行ったり、その近辺に設置されている図書内容表示装置１５を操作したりすることが可能である。記録装置１３は、図書１１の内容梗概を格納している装置である。図書内容表示装置１５は、各図書に貼付されたＲＦＩＤラベルを読み取る機能を有する。さらに、読み取ったＲＦＩＤラベルに含まれる図書の識別情報に基づき、記録装置１３より拠点内ネットワーク１４を通じて該当図書１１の内容梗概を読み出し、これを表示する機能を有する。検索者１７は、図書内容表示装置１５あるいは携帯端末１６を操作する図書館や書店の管理者又は来訪者である。
次に、図１の図書検索装置の本発明による動作を、図２のフローチャートを利用して説明する。図書館あるいは書店に、図書を閲覧、借り出し、又は購入を希望する人（以下、検索者という）１７が訪れる。そして、目的とする図書が所在すると思われる書棚１２ａ〜１２ｎの近辺まで行き、書棚から自らが目的とすると思われる図書１１を取り出す（ステップ１０１）。
次に、検索者１７は、取り出した図書１１を書棚付近に設置されている図書内容表示装置１５にそれをかざす（ステップ１０２）。図書内容表示装置１５はその図書１１に貼付されたＲＦＩＤラベルを読み取り、そこに含まれる該当図書の識別情報を読み出す（ステップ１０３）。そして拠点内ネットワーク１４を通じて記録装置１３より、該当図書１１の図書内容梗概を読み出し（ステップ１０４）、その内容を表示装置に表示する（ステップ１０５）。検索者１７はその表示された内容を見てその図書１１が目的とする図書かどうかを判断する（ステップ１０６）。その図書１１が目的とする図書と判断した場合は（ステップ１０６：Ｙ）、その図書を閲覧、借り出し、又は購入する（ステップ１０７）。ここで、再度別の図書を閲覧、借り出し、又は購入を希望するかどうかを判断する（ステップ１０８）。別の図書を希望する場合は（ステップ１０８：Ｙ）、書棚から別の図書を取り出し（ステップ１０２）、図書の内容を判断する。別の図書を希望しないと判断した場合は（ステップ１０８：Ｎ）、退出する（ステップ１０９）。その図書１１が目的とする図書でないと判断した場合は（ステップ１０６：Ｎ）、図書を書棚に戻し（ステップ１１０）、再度別の図書を閲覧、借り出し、又は購入を希望するかどうかを判断する（ステップ１０８）。別の図書を希望する場合は（ステップ１０８：Ｙ）、書棚から別の図書を取り出し（ステップ１０２）、図書の内容を判断する。別の図書を希望しないと判断した場合は（ステップ１０８：Ｎ）、退出する（ステップ１０９）。
次に、図２は、本発明による図書検索装置の第２実施形態の構成（概念）図を示す。この図書検索装置２０は、前記の図書検索装置１０と同様の装置に加え、ネットワーク１４を通じて記録装置１３と接続されている携帯端末１６により構成される。
そして、検索者１７は、この図書内容表示装置１５、あるいは携帯端末１６を使用して、検索図書を書棚１２ａ〜１２ｎから迅速に検索（探し出す）すると共に書棚１２ａ〜１２ｎに収納されている図書を常時確認して管理することが可能である。なお、記録装置１２には、図書梗概等の内容を入力するための装置を含んでいる。さらに携帯端末１６は、整理番号等の入力装置および表示装置を含んでいる。
次に、図３に示す図書検索装置２０の各構成要素の主要機能を説明する。図書検索装置１０と同じ構成要素は、同等の機能を持つ。検索者が保持する端末１６は携帯可能な小型端末であり、検索したい図書の管理番号等を入力する機能を有し、その機能に基づき入力された図書１１に対し図書に貼付されたＲＦＩＤラベルを読み取るための電波を発信し、それに対するＲＦＩＤラベルからの応答を表示する機能を有する。さらに、図書内容表示装置１５と同様に、読み取ったＲＦＩＤラベルに含まれる図書の識別情報に基づき、記録装置１３より拠点内ネットワーク１４を通じて該当図書１１の内容梗概を読み出し、これを表示する機能を有する。検索者１７は、図書内容表示装置１５あるいは携帯端末１６を操作する図書館や書店の管理者又は来訪者である。
図３の図書検索装置の本発明による図書検索装置の動作を、図４のフローチャートを参照して説明する。まず、図書館あるいは書店に、図書を閲覧、借り出し、又は購入を希望する人（以下、検索者という）１７が訪れ、携帯端末１６が貸与される（ステップ２０１）。次に、検索者１７は、その携帯端末を利用して本の検索を行うかどうかを判断する（ステップ２０２）。携帯端末を利用せずに本の検索を行う場合は（ステップ２０２：Ｎ）、直接書棚付近に行き、自らの判断で図書を抜き出し（ステップ２０３）、その図書を図書内容表示装置１５もしくは携帯端末１６にかざす（ステップ２０４）。
一方、携帯端末を利用する場合は（ステップ２０２：Ｙ）、指定された方法に従って携帯端末１６に借りたい図書の識別番号等を入力する、あるいは指定された方法に従って携帯端末１６上に借りたい図書の一覧をリストアップし、その中から特定の図書を指定する（ステップ２０５）。検索者１７は、その携帯端末１６を持って、多数の書棚１２ａ〜１２ｎのうちその図書が含まれると思われる書棚１２の近辺まで行き、検索操作を行う。即ち、携帯端末１６を近辺の書棚１２に向けて、問合せ応答のための電波を発信する（ステップ２０６）。
次に、ステップ２０３で指定した図書１１がその書棚にあるか否かの判断を行う（ステップ２０７）。該当する図書があった場合には、該当する図書１１に貼付されたＲＦＩＤラベルより応答信号が返信されるため、その書棚に該当する図書があることが判断できる。該当する図書があったと判断した場合は（ステップ２０７：Ｙ）、検索者１７は書棚１２から該当する図書１１を取り出し（ステップ２０８）、図書内容表示装置１５もしくは携帯端末１６にその図書１１をかざす（ステップ２０４）。
一方、該当図書が見つからない場合には（ステップ２０７：Ｎ）、別の書棚に移動するか否か判断する（ステップ２０９）。別の書棚を検索すると判断した場合には（ステップ２０９：Ｙ）、別の書棚へ移動し（ステップ２１０）、携帯端末１６により同様の操作を行う（ステップ２０６）。別の書棚に移動しない場合は（ステップ２０９：Ｎ）、再度別の図書を閲覧、借り出し、又は購入を希望するかどうかを判断する（ステップ２１１）。
別の図書を閲覧、借り出し、又は購入を希望する場合には（ステップ２１１：Ｙ）、さらに携帯端末１６を利用して検索を行うかどうかを判断し（ステップ２０２）、それ以降のステップの処理を行う。他の図書を検索しない場合は（ステップ２１１：Ｎ）、携帯端末１６を返却し（ステップ４０１）、退出する（ステップ４０２）。
ステップ２０４において検索者１７が図書１１を図書内容表示装置１５もしくは携帯端末１６にかざした後、図書内容表示装置１５もしくは携帯端末１６は、その図書１１に貼付されたＲＦＩＤラベルを読み取り、そこに含まれる該当図書の識別情報を読み出す（ステップ３０１）。そして拠点内ネットワーク１４を通じて記録装置１３より、該当図書１１の図書内容梗概を読み出し（ステップ３０２）、その内容を表示装置に表示する（ステップ３０３）。検索者１７はその表示された内容を見てその図書１１が目的とする図書かどうかを判断する（ステップ３０４）。
その図書１１が目的とする図書と判断した場合は（ステップ３０４：Ｙ）、その図書を閲覧、借り出し、又は購入する（ステップ３０５）。ここで、再度別の図書を閲覧、借り出し、又は購入を希望するかどうかを判断する（ステップ２１１）。別の図書を希望しないと判断した場合は（ステップ２１１：Ｙ）、携帯端末１６を返却し、退出する（ステップ４０１）。
以上、本発明による図書検索方法および装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【発明の効果】
【０００６】  以上の説明から理解される如く、本発明の図書検索方法および装置によると、次の如き実用上の顕著な効果が得られる。第１に、非接触で読み書きできるＲＦＩＤラベルを図書に貼付しておき、その情報を電波で読み取ると同時に、その情報に対応する図書梗概情報を表示させることにより、目指す図書かどうかを検索者が判断するにあたって、該当図書の内容を開いて実際に閲覧するよりもはるかに迅速に判断可能である。
第２に、書棚付近において目的とする図書が所在するかどうかを判断する作業において、ＲＦＩＤラベルと装置との間の応答により自動的に行うことができ、作業効率が大幅に改善可能である。
【図面の簡単な説明】
【０００７】
【図１】本発明による図書検索装置の第１実施形態を示す構成図である。
【図２】図１に示す図書検索装置による図書検索方法を示すフローチャートである。
【図３】本発明による図書検索装置の第２実施形態を示す構成図である。
【図４】図３に示す図書検索装置による図書検索方法を示すフローチャートである。
【符号の説明】
【０００８】１０、２０  図書検索装置
１１  ＲＦＩＤラベル付き図書
１２ａ〜１２ｎ  書棚
１３  図書梗概等の記録装置
１４  拠点内ネットワーク（有線・無線）
１５  図書内容表示装置
１６  携帯端末
１７  検索者
【図１】
2005165997.tif 000003
【図２】
2005165997.tif 000004
【図３】
2005165997.tif 000005
【図４】
2005165997.tif 000006